(57)【要約】  本技術は、限られた領域で、装置の様々な状態を表現できるようにする表示装置、表示制御方法、およびプログラムに関する。テレビジョン受像機は、表示部の周辺の少なくとも一部に配置され、所定の輝度で点灯するインジケータを有するインジケータユニットと、インジケータの点灯を制御するインジケータ制御部とを備える。インジケータ制御部は、インジケータの点灯方法を時間経過に応じて変化させるように制御する。本発明は、例えば、テレビジョン受像機等の表示装置に適用できる。
2013099631.tif 000002
【特許請求の範囲】
【請求項１】
表示部の周辺の少なくとも一部に配置され、所定の輝度で点灯するインジケータを有するインジケータユニットと、
前記インジケータの点灯を制御するインジケータ制御部と
を備え、
前記インジケータ制御部は、前記インジケータの点灯方法を時間経過に応じて変化させるように制御する
表示装置。
【請求項２】
前記インジケータ制御部は、前記表示装置に対して所定の設定操作が行われたとき、前記インジケータの発光輝度を第１の輝度に設定し、その後、前記第１の輝度と異なる第２の輝度に徐々に変化するように制御する
請求項１に記載の表示装置。
【請求項３】
前記インジケータ制御部は、前記インジケータの点灯色を、情報の種類に応じた色となるように制御する
請求項１に記載の表示装置。
【請求項４】
前記インジケータ制御部は、前記インジケータユニットに画像が吸い込まれる、または、前記インジケータユニットから画像が吐き出される前記表示部の画像に同期して、前記インジケータの点灯方法を時間経過に応じて変化させる
請求項１に記載の表示装置。
【請求項５】
前記インジケータユニットは、点灯する位置が異なる第１のインジケータと第２のインジケータを少なくとも有し、
前記第１のインジケータに対応する第１の情報と、前記第２のインジケータに対応する第２の情報をユーザに認識させる画像を前記表示部に表示させる表示制御部をさらに備え、
前記インジケータ制御部は、前記第１のインジケータを点灯させることで前記第１の情報を表し、前記第２のインジケータを点灯させることで前記第２の情報を表す
請求項１に記載の表示装置。
【請求項６】
前記インジケータの第１の明滅パターンに対応する第１の情報と、第２の明滅パターンに対応する第２の情報をユーザに認識させる画像を前記表示部に表示させる表示制御部をさらに備え、
前記インジケータ制御部は、前記インジケータを、前記第１の明滅パターンで点灯させることで前記第１の情報を表し、前記第２の明滅パターンで点灯させることで前記第２の情報を表す
請求項１に記載の表示装置。
【請求項７】
前記インジケータの第１の点灯色に対応する第１の情報と、第２の点灯色に対応する第２の情報をユーザに認識させる画像を前記表示部に表示させる表示制御部をさらに備え、
前記インジケータ制御部は、前記インジケータを、前記第１の点灯色で点灯させることで前記第１の情報を表し、前記第２の点灯色で点灯させることで前記第２の情報を表す
請求項１に記載の表示装置。
【請求項８】
表示部の周辺の少なくとも一部に配置され、所定の輝度で点灯するインジケータを有するインジケータユニットと、前記インジケータの点灯を制御するインジケータ制御部とを備える表示装置の、
前記インジケータ制御部が、前記インジケータの点灯方法を時間経過に応じて変化させるように制御する
表示制御方法。
【請求項９】
表示部の周辺の少なくとも一部に配置され、所定の輝度で点灯するインジケータを有するインジケータユニットを備える表示装置を制御するコンピュータに、
前記インジケータの点灯方法を時間経過に応じて変化させるように制御する
処理を実行させるプログラム。
【請求項１０】
表示部の周辺の少なくとも一部に配置され、所定の輝度で点灯するインジケータを有するインジケータユニットと、
前記インジケータの点灯を制御するインジケータ制御部と
を備え、
前記インジケータ制御部は、前記インジケータの発光輝度を第１の輝度に設定し、その後、前記第１の輝度と異なる第２の輝度に徐々に変化させる
表示装置。
【請求項１１】
前記インジケータ制御部は、前記インジケータの点灯色を、現在動作中の機能に対応する色とする
請求項１０に記載の表示装置。
【請求項１２】
前記インジケータ制御部は、前記表示部において、前記インジケータの近傍領域を高輝度とした画像が表示される前または表示された後に、前記インジケータの発光輝度を、前記第１の輝度から前記第２の輝度に変化させる
請求項１０に記載の表示装置。
【請求項１３】
表示部の周辺の少なくとも一部に配置され、所定の輝度で点灯するインジケータを有するインジケータユニットと、前記インジケータの点灯を制御するインジケータ制御部とを備える表示装置の、
前記インジケータ制御部が、前記インジケータの発光輝度を第１の輝度に設定し、その後、前記第１の輝度と異なる第２の輝度に徐々に変化させる
表示制御方法。
【請求項１４】
表示部の周辺の少なくとも一部に配置され、所定の輝度で点灯するインジケータを有するインジケータユニットを備える表示装置を制御するコンピュータに、
前記インジケータの発光輝度を第１の輝度に設定し、その後、前記第１の輝度と異なる第２の輝度に徐々に変化させる
処理を実行させるプログラム。
【発明の詳細な説明】
【技術分野】
【０００１】
本技術は、表示装置、表示制御方法、およびプログラムに関し、特に、限られた領域で、装置の様々な状態を表現できるようにする表示装置、表示制御方法、およびプログラムに関する。
【背景技術】
【０００２】
近年、テレビジョン受像機では、画像を表示するパネル周辺の額縁部が徐々にスリム化（狭額縁化）してきている。額縁部には、従来、例えば、リモートコントローラの受光部、電源オン、スタンバイ等を示すインジケータ（ランプ）、本体動作の設定操作を行う操作ボタン等が配置されていた（例えば、特許文献１参照）。
【先行技術文献】
【特許文献】
【０００３】
【特許文献１】特開２００５−２６７８９７号公報
【発明の概要】
【発明が解決しようとする課題】
【０００４】
しかしながら、額縁部のスリム化に伴い、表示装置の動作や状態を示すインジケータを配置する領域が制限されることとなり、表示装置の動作等を表現する新たな方法が望まれる。【０００５】
本技術は、このような状況に鑑みてなされたものであり、限られた領域で、装置の様々な状態を表現できるようにするものである。
【課題を解決するための手段】
【０００６】
本技術の第１の側面の表示装置は、表示部の周辺の少なくとも一部に配置され、所定の輝度で点灯するインジケータを有するインジケータユニットと、前記インジケータの点灯を制御するインジケータ制御部とを備え、前記インジケータ制御部は、前記インジケータの点灯方法を時間経過に応じて変化させるように制御する。【０００７】
本技術の第１の側面の表示制御方法は、表示部の周辺の少なくとも一部に配置され、所定の輝度で点灯するインジケータを有するインジケータユニットと、前記インジケータの点灯を制御するインジケータ制御部とを備える表示装置の、前記インジケータ制御部が、前記インジケータの点灯方法を時間経過に応じて変化させるように制御する。【０００８】
本技術の第１の側面のプログラムは、表示部の周辺の少なくとも一部に配置され、所定の輝度で点灯するインジケータを有するインジケータユニットを備える表示装置を制御するコンピュータに、前記インジケータの点灯方法を時間経過に応じて変化させるように制御する処理を実行させるものである。【０００９】
本技術の第１の側面においては、インジケータの点灯方法が時間経過に応じて変化されるように制御される。【００１０】
本技術の第２の側面の表示装置は、表示部の周辺の少なくとも一部に配置され、所定の輝度で点灯するインジケータを有するインジケータユニットと、前記インジケータの点灯を制御するインジケータ制御部とを備え、前記インジケータ制御部は、前記インジケータの発光輝度を第１の輝度に設定し、その後、前記第１の輝度と異なる第２の輝度に徐々に変化させる。【００１１】
本技術の第２の側面の表示制御方法は、表示部の周辺の少なくとも一部に配置され、所定の輝度で点灯するインジケータを有するインジケータユニットと、前記インジケータの点灯を制御するインジケータ制御部とを備える表示装置の、前記インジケータ制御部が、前記インジケータの発光輝度を第１の輝度に設定し、その後、前記第１の輝度と異なる第２の輝度に徐々に変化させる。【００１２】
本技術の第２の側面のプログラムは、表示部の周辺の少なくとも一部に配置され、所定の輝度で点灯するインジケータを有するインジケータユニットを備える表示装置を制御するコンピュータに、前記インジケータの発光輝度を第１の輝度に設定し、その後、前記第１の輝度と異なる第２の輝度に徐々に変化させる処理を実行させるものである。【００１３】
本技術の第２の側面においては、インジケータの発光輝度が第１の輝度に設定され、その後、前記第１の輝度と異なる第２の輝度に徐々に変化する。【００１４】
表示装置は、独立した装置であっても良いし、１つの装置を構成している内部ブロックであっても良い。
【発明の効果】
【００１５】
本技術の第１及び第２の側面によれば、限られた領域で、装置の様々な状態を表現できる。
【図面の簡単な説明】
【００１６】
【図１】本技術が適用された表示装置の一実施の形態としてのテレビビジョン受像機の斜視図である。
【図２】スマートユニット内のLEDインジケータの構成を説明する図である。
【図３】スマートユニット内のLEDインジケータの構成を説明する図である。
【図４】TVの制御ブロック図である。
【図５】TVの制御部のさらに詳細な機能ブロック図である。
【図６】LEDインジケータの基本点灯例を説明する図である。
【図７】LEDインジケータの基本点灯例を説明する図である。
【図８】LEDインジケータの基本点灯例を説明する図である。
【図９】LEDインジケータの基本点灯例を説明する図である。
【図１０】LEDインジケータのシーケンス点灯例を説明する図である。
【図１１】LEDインジケータの画像表示との連携点灯例を説明する図である。
【図１２】起動・オフ操作に対応した点灯表現の例を説明する図である。
【図１３】所定のボタン押下時のLEDインジケータの点灯表現を説明する図である。
【図１４】タイマー設定を行うときの設定画面例を示す図である。
【図１５】タイマー設定操作時の連携表現の例を説明する図である。
【図１６】画面表示ボタン操作時のTVの動作を示す図である。
【図１７】LEDインジケータの点灯色を説明する図である。
【図１８】上キー操作に対応する連携点灯表現の例を説明する図である。
【図１９】下キー操作に対応する連携点灯表現の例を説明する図である。
【図２０】下方向ドラッグ操作に対応する連携点灯表現の例を説明する図である。
【図２１】上方向ドラッグ操作に対応する連携点灯表現の例を説明する図である。
【図２２】消画動作における連携点灯表現の例を示す図である。
【図２３】ビデオチャット機能を使用する際の画面遷移を示す図である。
【図２４】電子POPにおける連携点灯表現の例を示す図である。
【図２５】点灯位置に対応するLEDインジケータの情報表現の例を説明する図である。
【図２６】点灯位置に対応するLEDインジケータの情報表現の例を説明する図である。
【図２７】点灯周期に対応するLEDインジケータの情報表現の例を説明する図である。
【図２８】点灯色に対応するLEDインジケータの情報表現の例を説明する図である。
【図２９】スマートユニットへのタッチ操作に対応した連携表現の例を示す図である。
【図３０】スマートユニットへのタッチ操作に対応した連携表現の例を示す図である。
【図３１】スマートユニットに対するNFC近接操作に対応した連携表現の例を示す図である。
【図３２】スマートユニットに対するNFC近接操作に対応した連携表現の例を示す図である。
【図３３】データ転送に対応した連携表現の例を示す図である。
【図３４】ジェスチャ操作に対応した連携表現の例を示す図である。
【図３５】BT機器のペアリング操作に対応した連携表現の例を示す図である。
【図３６】Wi-Fi機器との連携表現の例を示す図である。
【図３７】Wi-Fi機器との連携表現の例を示す図である。
【図３８】Wi-Fi機器との連携表現の例を示す図である。
【図３９】Wi-Fi機器との連携表現の例を示す図である。
【図４０】Wi-Fi機器との連携表現の例を示す図である。
【図４１】Wi-Fi機器との連携表現の例を示す図である。
【図４２】Wi-Fi機器との連携表現の例を示す図である。
【図４３】Wi-Fi機器との連携表現の例を示す図である。
【図４４】Wi-Fi機器との連携表現の例を示す図である。
【図４５】Wi-Fi機器との連携表現の例を示す図である。
【図４６】Wi-Fi機器との連携表現の例を示す図である。
【図４７】連携表現を実現する処理を説明するフローチャートである。
【発明を実施するための形態】
【００１７】
以下、本技術を実施するための形態（以下、実施の形態という）について説明する。なお、説明は以下の順序で行う。
１．表示装置の外観構成例
２．制御ブロック図
３．LEDインジケータの基本点灯例
４．LEDインジケータのシーケンス点灯例
５．画像表示との連携点灯例
６．TV操作に対応したLEDインジケータの点灯表現
７．消画動作における連携点灯表現
８．ビデオチャット画面とLEDインジケータの連携
９．映像視聴体験に基づくLEDインジケータの情報表現
１０．スマートユニットに対して行ったユーザ操作に対応した連携表現
１１．連携表現を実現するフローチャート
【００１８】
［１．表示装置の外観構成例］
図１は、本技術が適用された表示装置の一実施の形態としてのテレビビジョン受像機の外観構成例を示している。
【００１９】
図１のテレビジョン受像機（以下、TVという）１は、ディスプレイ本体１１、スマートユニット１２、およびスタンド１３とから構成される。ディスプレイ本体１１は、受信した放送番組の画像など、所定の画像を表示するディスプレイ１４と、その周辺部に配置された額縁部１５とから構成される。
【００２０】
スマートユニット１２は、TV１の動作や状態を照明で表す点灯部としてのLED(Light Emitting Diode）インジケータ８４（図４）を少なくとも有するインジケータユニットである。スマートユニット１２の正面には、カメラ９３が設けられている。
【００２１】
なお、スマートユニット１２は、図１ではディスプレイ本体１１の下側の額縁部１５に配置されているが、スマートユニット１２を、ディスプレイ本体１１の上側、左側、右側の額縁部１５のいずれに配置させてもよい。換言すれば、スマートユニット１２は、ディスプレイ１４の周辺の少なくとも一部に配置されていればよい。
【００２２】
図２および図３を参照して、スマートユニット１２内のLEDインジケータ８４の構成について説明する。
【００２３】
図２は、スマートユニット１２内のLEDインジケータ８４を説明するための、スマートユニット１２付近の拡大側面図であり、図３のAは、スマートユニット１２の正面図、図３のBは、スマートユニット１２を上側から見たときの、LEDインジケータ８４の配置を示す図である。なお、図２および図３において、スマートユニット１２の縮尺、スマートユニット１２内各部の配置等は、説明の理解を容易にするための変更が加えられている。
【００２４】
LEDインジケータ８４は、図３のBに示されるように、１つのホワイトLED２１Wと、２つのカラーLED２１Lおよび２１Rとで構成される。ホワイトLED２１Wは、左右方向についてはスマートユニット１２内の中央部、前後方向についてはやや前方に配置されている。カラーLED２１Lは、ホワイトLED２１Wの後方かつ左側に配置され、カラーLED２１Rは、ホワイトLED２１Wの後方かつ右側に配置されている。ホワイトLED２１Wは、白色の単色LEDであり、白色で発光する。カラーLED２１Lおよび２１Rは、R（赤）,G（緑）,B（青）の３つのLEDで構成され、所定の色で発光することができる。
【００２５】
ホワイトLED２１Wの光は、図示せぬ導光板を介して、スマートユニット１２前方の出力部２３（図３のA）から出力される。カラーLED２１LおよびカラーLED２１Rの光は、図示せぬ導光板を介して、スマートユニット１２前方の出力部２３（図３のA）と、スマートユニット１２下方の出力部２３（不図示）から出力される。
【００２６】
スマートユニット１２の底面付近には、図２に示されるように、タッチセンサ８５（図４）の一部である電極パッドや、NFC通信のアンテナなどを含むフィルムアンテナ２２が埋設されている。これにより、後述するように、スマートユニット１２に対するユーザの手、指等の接触、近接（数十ミリ以内の距離で近づくこと）、NFC通信装置の近接を検出することができるようになっている。
【００２７】
以下の説明において、ホワイトLED２１W、カラーLED２１L、およびカラーLED２１Rは、単に、LED２１W、LED２１L、およびLED２１Rとも称する。また、LED２１W、LED２１L、およびLED２１Rそれぞれを特に区別する必要がない場合には、単にLED２１と称する。
【００２８】
［２．制御ブロック図］
図４は、TV１の制御ブロック図を示している。
【００２９】
まずTV１のディスプレイ本体１１の構成について説明する。
【００３０】
電源供給部５１は、外部のAC電源と接続され、受電したAC電源を所定電圧のDC電源に変換して、DC/DCコンバータ５２に供給する。DC/DCコンバータ５２は、電源供給部５１から供給される第１の電源電圧を第２の電源電圧に変換し、パネル駆動部５３、制御部６６、およびスマートユニット１２などの各部に供給する。なお、各部に供給される電源電圧は、それぞれ異なるものでもよいし、同一であってもよい。
【００３１】
パネル駆動部５３は、制御部６６から供給される映像信号に基づいて、パネル５４とバックライト５５を駆動し、映像を表示させる。このパネル５４とバックライト５５が図１のディスプレイ１４に相当する。パネル５４は、パネル駆動部５３の駆動制御に基づいて、各画素の液晶の開口を制御する。バックライト５５は、パネル駆動部５３の駆動制御に基づいて、所定の輝度で発光する。すなわち図１のディスプレイ１４はLCD(Liquid Crystal Display)であり、バックライト５５はパネル５４の背面側に配置されている。
【００３２】
HDMI端子５５１乃至５５３それぞれは、各端子の接続先の外部機器とHDMI（High-Definition Multimedia Interface）信号の授受を行う。HDMIスイッチ５６は、HDMIの制御信号に基づいてHDMI端子５５１乃至５５３を適宜切り替えて、HDMI端子５５１乃至５５３に接続されている外部機器と、制御部６６との間で授受されるHDMI信号の中継を行う。
【００３３】
アナログAV入力端子５７は、外部機器からのアナログのAV信号（Audio and Visual信号）を入力させ、制御部６６に供給する。
【００３４】
PC入力端子５８は、例えば、ミニD-Sub１５ピン端子で構成され、パーソナルコンピュータが出力するAV信号のうちの、アナログの映像信号を入力させて、制御部６６に供給する。
【００３５】
アナログ音声出力端子５９は、制御部６６から供給されるアナログの音声信号を、接続先の外部機器に出力する。光デジタル音声出力端子６０は、制御部６６から供給される音声の光デジタル信号を、接続先の外部機器に出力する。
【００３６】
LAN端子６１は、例えば、10BASE-T/100BASE-TXコネクタ等で構成され、ホームネットワーク、インターネットといった所定のネットワークに接続される。
【００３７】
チューナ６２は、アンテナ端子６３を介してアンテナ（不図示）と接続されており、アンテナで受信された電波から、所定のチャンネルの放送信号を取得して、制御部６６に供給する。なお、本実施の形態においては、チューナ６２が受信する電波は、例えば、地上デジタル放送の放送信号であるとする。
【００３８】
CASカードI/F６４には、地上デジタル放送のスクランブルを解くための暗号キーが記憶されているB-CAS（登録商標）カード６５が挿入される。CASカードI/F６４は、B-CAS（登録商標）カード６５に記憶されている暗号キーを読み出し、制御部６６に供給する。
【００３９】
制御部６６は、ROM（Read Only Memory）等で構成される内部メモリ６６Aに記憶されている制御プログラムに基づいて、TV１全体の制御を行う。制御部６６は、例えば、映像信号および音声信号のA/D（Analog to Digital）変換やD/A（Digital to Analog）変換の処理、放送信号のスクランブル解除処理やデコード処理などを行う。また、制御部６６は、後述するスマートユニット１２からの明るさ信号、IR信号、タッチセンサ信号、USB I/F信号に基づく制御や、LEDインジケータ８４のLED制御も行う。制御部６６は、CPU（Central Processing Unit）、MPU（Micro Processing Unit）、DRAM(Dynamic Random Access Memory)等が１つのチップに集積されたSoC（System on a Chip）で構成することができる。
【００４０】
内部メモリ６６Aに記憶される制御プログラムは、後述するUSB端子入力部９０等に接続されるUSBメモリやハードディスク装置、あるいは、ホームネットワーク、インターネットといった、有線または無線の伝送媒体を介してインストールすることができる。
【００４１】
オーディオアンプ６７は、制御部６６から供給されるアナログの音声信号を増幅し、スピーカ６８に供給する。スピーカ６８は、オーディオアンプ６７からのアナログの音声信号に応じた音声を出力する。
【００４２】
次に、TV１のスマートユニット１２の構成について説明する。
【００４３】
ディスプレイ本体１１から供給される電力は、中継部８１を介してスマートユニット１２の各部へ供給される。また、後述する明るさ信号、IR信号、LED制御信号、タッチセンサ信号、USB I/F信号も、中継部８１を介して、ディスプレイ本体１１とスマートユニット１２の制御部６６との間で授受される。
【００４４】
明るさセンサ８２は、TV１の周囲の明るさ（例えば、TV１が設置されている部屋の明るさ等）を検知し、その検知結果を、明るさ信号として制御部６６に供給する。
【００４５】
IR受光部８３は、例えば、ユーザが図示せぬリモートコントローラを操作したときリモートコントローラから出射される、ユーザの操作に対応するIR信号を受光し、制御部６６に供給する。
【００４６】
LEDインジケータ８４は、制御部６６からのLED制御信号に基づいて、LEDを点灯または消灯させる。
【００４７】
タッチセンサ８５は、例えば、人間の指等の近接に応じて静電容量が変化する複数の電極を有している。タッチセンサ８５は、複数の電極の静電容量の変化に基づいて、ユーザの近接操作および接触操作を検知し、その検知結果を、タッチセンサ信号として制御部６６に供給する。
【００４８】
USB制御部８６は、中継部８１、Wi-Fi(wireless fidelity)通信部８７、NFC(near field communication)通信部８８、BT(Bluetooth（登録商標）)通信部８９、USB(universal serial bus)端子入力部９０および９１、並びにエンコーダ９２と接続されている。
【００４９】
USB制御部８６は、Wi-Fi通信部８７、NFC通信部８８、BT通信部８９、USB端子入力部９０、USB端子入力部９１、及びエンコーダ９２それぞれから供給される、USB規格に従ったUSB I/F信号を取得して、制御部６６に出力する。また、USB制御部８６は、中継部８１を介して制御部６６から供給されたUSB I/F信号を、Wi-Fi通信部８７、NFC通信部８８、BT通信部８９、USB端子入力部９０、USB端子入力部９１、またはエンコーダ９２へ適切に振り分ける。
【００５０】
Wi-Fi通信部８７は、USB I/F信号としてUSB制御部８６から供給されるデータを、例えば携帯電話機等の他の通信装置に、Wi-Fiによる通信方式を用いた無線通信により送信する。また、Wi-Fi通信部８７は、Wi-Fi無線通信により他の通信装置（Wi-Fi機器）から送信されてくるデータを受信し、USB I/F信号にしてUSB制御部８６に供給する。
【００５１】
NFC通信部８８は、USB I/F信号としてUSB制御部８６から供給されるデータを、例えば携帯電話機等の他の通信装置（NFC機器）に、ISO/IEC 18092として規定されるNFCによる近接無線通信により送信する。また、NFC通信部８８は、近接無線通信により他の通信装置から送信されてくるデータを受信し、USB I/F信号にしてUSB制御部８６に供給する。
【００５２】
BT通信部８９は、USB I/F信号としてUSB制御部８６から供給されるデータを、例えば携帯電話機等の他の通信装置に、Bluetooth（登録商標）を用いた無線通信（BT通信）により送信する。また、BT通信部８９は、BT通信により他の通信装置（BT機器）から送信されてくるデータを受信し、USB I/F信号にしてUSB制御部８６に供給する。
【００５３】
USB端子入力部９０及びUSB端子入力部９１は、USB端子が接続されるコネクタである。USB端子入力部９０やUSB端子入力部９１には、例えば、外部記憶装置としてのUSBメモリやハードディスク記憶装置などが接続される。USB端子入力部９０とUSB端子入力部９１は、例えば、スマートユニット１２の筐体の両側面に対向するように設けられている。
【００５４】
エンコーダ９２には、カメラ９３及びマイクロフォン９４が接続されている。カメラ９３は、CCD(Charge Coupled Device)やCMOS（Complementary Metal Oxide Semiconductor）イメージセンサ等の撮像素子により構成され、撮像により得られる映像信号を、エンコーダ９２に供給する。マイクロフォン９４は、集音により得られる音声信号を、エンコーダ９２に供給する。エンコーダ９２は、映像信号および音声信号のA/D変換処理、エンコード処理等の信号処理を行い、処理後の信号をUSB I/F信号にしてUSB制御部８６に供給する。
【００５５】
図６は、制御部６６のさらに詳細な機能ブロック図を示している。
【００５６】
制御部６６では、内部メモリ６６Aに記憶されている制御プログラムが実行されることにより、少なくともAV信号処理部１０１、通信制御部１０２、LED制御部１０３、およびセンサ制御部１０４が実現される。
【００５７】
AV信号処理部１０１は、ディスプレイ１４に所定の画像を表示するための制御を行う。例えば、AV信号処理部１０１は、映像信号および音声信号の入出力処理、A/D（Analog to Digital）変換処理、D/A（Digital to Analog）変換処理、放送信号のスクランブル解除処理、デコード処理などを行う。
【００５８】
通信制御部１０２は、LAN端子６１を介して接続されるネットワークへの通信、Wi-Fi通信、NFC通信、BT(Bluetooth（登録商標）)通信、などの制御を行う。
【００５９】
LED制御部１０３は、LEDインジケータ８４のLED制御を行う。具体的には、LED制御部１０３は、PWM(Pulse Width Modulation：パルス幅変調)制御により、LEDへの供給電流を制御し、発光輝度を制御する。PWM制御とは、電流のオン状態とオフ状態とをスイッチングにより切換え、そのオン状態とオフ状態との比率（デューティ比）を可変することにより、平均電流を制御する方式である。
【００６０】
センサ制御部１０４は、明るさセンサ８２からの明るさ信号、IR受光部８３からのIR信号、カメラ９３で撮像された撮像信号などを取得し、取得した信号に応じた制御を行う。センサ制御部１０４は、取得した信号に応じて、AV信号処理部１０１、通信制御部１０２、及びLED制御部１０３の制御も行う。
【００６１】
以上のように構成されるTV１では、TV１の動作や状態、あるいは、ユーザがTV１に対して行った操作を、ユーザに直感的に認識させるようなイルミネーション（光による表現）を、ディスプレイ１４の表示画像とスマートユニット１２のLEDインジケータ８４の点灯の連携により行う。以下、ディスプレイ１４の表示画像とスマートユニット１２のLEDインジケータ８４の点灯による、各種の表現について説明する。
【００６２】
［３．LEDインジケータ８４の基本点灯例］
初めに、スマートユニット１２のLEDインジケータ８４の最もシンプルな点灯方法について説明する。
【００６３】
図６のAは、LEDインジケータ８４のうち、中央のLED２１Wのみを点灯させた場合の表示例を示しており、図６のBは、３つのLED２１を白色点灯させた場合の表示例を示している。
【００６４】
なお、図６以降の図面では、点灯表現を理解しやすくするため、スマートユニット１２の各構成の図示を省略し、スマートユニット１２のLEDインジケータ８４の消灯または点灯を、所定の濃度で適宜表す。また、以下の説明において、LEDインジケータ８４の消灯または点灯を、スマートユニット１２の消灯または点灯ともいう。
【００６５】
図２を参照して説明したように、LED２１Wの光は、スマートユニット１２前方（の出力部２３）のみから出力される。したがって、LED２１Wのみが点灯した場合、図６のAに示されるように、スマートユニット１２の正面のみがライン状に発光する。
【００６６】
LED２１LおよびLED２１Rの光は、スマートユニット１２前方と下方（の出力部２３）から出力される。したがって、３つのLED２１が点灯した場合には、図６のBに示されるように、スマートユニット１２の正面の発光に加えて、スマートユニット１２から垂直下方向に半円形状の光が形成される。
【００６７】
図７は、スマートユニット１２を上方から見たときの３つのLED２１の配置と、スマートユニット１２前方の点灯例を示している。
【００６８】
LED２１Wのみが点灯した場合、LED２１Wはスマートユニット１２の中央前方に配置されているので、図７左側に示されるように、ライン状のスマートユニット１２の中央のみが点状に発光する。
【００６９】
一方、中央のLED２１Wとともに、その左右後方に配置された２つのLED２１Lおよび２１Rが点灯した場合には、図７右側に示されるように、スマートユニット１２が線状（ライン状）に発光する。
【００７０】
このように、LEDインジケータ８４で、点表現と線表現の２種類の発光状態を使い分けることで、例えば、TV１の電源オン状態とスタンバイ状態など、状態の違いを表現することができる。
【００７１】
点表現と線表現の２種類の発光状態で表現する場合には、ユーザは、色を識別しなくてもTV１の２種類の状態の違いを認識することができる。このような表現を行う場合には、２つのカラーLED２１Lおよび２１Rは白色で点灯できればよいので、２つのカラーLED２１Lおよび２１RがホワイトLEDであっても実現できる。
【００７２】
また、本実施の形態では、LEDインジケータ８４が３つのLED２１で構成されるものとしているが、例えば、図８に示されるように、前後に配置された２つのLED２１によっても、点表現と線表現の２種類の発光状態を表現することができる。また例えば、図９に示されるように、３つのLED２１を横方向に並べて配置した場合にも、点表現と線表現の２種類の発光状態を表現することができる。
【００７３】
すなわち、本実施の形態では、LEDインジケータ８４が、前方中央に１つのLED２１、その左右後方に２つのLED２１で構成されるものとしているが、LEDインジケータ８４を構成するLED２１の個数は２つ以上であればよく、またLED２１の配置も適宜決定することができる。
【００７４】
なお、図６ないし図９では、説明の便宜上、スマートユニット１２の両端が発光しないような図となっているが、実際には、LEDインジケータ８４はスマートユニット１２の両端まで発光させることができる。
【００７５】
［４．LEDインジケータ８４のシーケンス点灯例］
図６ないし図９を参照して説明した例は、１つ以上のLED２１を所定の発光輝度でオン、オフした場合の点灯例である。
【００７６】
図１０は、PWM制御により１つ以上のLED２１の発光輝度を連続的に変化させた場合の点灯例を示している。
【００７７】
LED制御部１０３が、初めに中央前方のホワイトLED２１Wを点灯させ、その後、徐々に減光させるとともに、左右後方のカラーLED２１Lおよび２１Rを徐々に白色点灯させ、その後減光させる制御を行うと、図１０のAに示すような点灯表現が可能となる。すなわち、ライン状のスマートユニット１２の中央部が最初に光り、その光が左右へ移動して流れるような点灯表現が可能となる。
【００７８】
また図１０のAの点灯制御と逆の制御を行うと、図１０のBに示すような点灯表現が可能となる。すなわち、ライン状のスマートユニット１２の両端が最初に光り、その光が中央部へ移動して流れるような点灯表現が可能となる。
【００７９】
このような、点灯位置および輝度を時間経過に応じて変化させる点灯表現は、TV１の連続的な動作を示す表現として採用することができる。例えば、TV１が、リモートコントローラ、PC（パーソナルコンピュータ）、携帯端末（スマートフォン）などの外部機器と接続して、データを送受信する場合の動作を示す表現とすることができる。図１０のAの点灯表現がされた場合、ユーザは、スマートユニット１２をTV１の中心部（コア：core）、あるいは、入出力部に見立てて、データがTV１から外部機器へ出力（転送）される動作を観念することができる。図１０のBの点灯表現がされた場合、ユーザは、データが外部機器からTV１へ入力される動作を観念することができる。
【００８０】
［５．画像表示との連携点灯例］
図１１は、図１０に示したLEDインジケータ８４の点灯表現に、ディスプレイ１４の画像表示も組み合わせた連携点灯表現の例を示している。なお、図１１では、スマートユニット１２の点灯表現を理解しやすくするため、スマートユニット１２の幅を、ディスプレイ本体１１の幅と同一にして示している。
【００８１】
図１１のAは、１個のホワイトLED２１Wによる点灯と、ディスプレイ１４の画像表示を組み合わせた点灯表現の例であって、図１０のAと同様にデータ出力をユーザに観念させる点灯表現の例である。
【００８２】
図１１のAでは、初めに、白色の光を画面中央に配置した画像が、ディスプレイ１４に表示される。そして、画面中央に表示された光が、徐々にスマートユニット１２の方向である画面下方向に移動する。そして、ディスプレイ１４上の光が消滅すると、スマートユニット１２のホワイトLED２１Wが点灯し、その後消光する。
【００８３】
図１１のBは、１個のホワイトLED２１Wによる点灯と、ディスプレイ１４の画像表示を組み合わせた点灯表現の例であって、図１０のBと同様にデータ入力をユーザに観念させる点灯表現の例である。
【００８４】
図１１のBでは、最初に、ホワイトLED２１Wによりスマートユニット１２中央が点灯し、その後消光する。ホワイトLED２１Wの消光とともに、画面内のスマートユニット１２近傍に白色の光が出現する画像がディスプレイ１４に表示される。そして、画面に表示された白色の光が徐々に画面上方向に移動し、画面中央部で消滅する画像がディスプレイ１４に表示される。
【００８５】
図１１のCは、３個のLED２１による点灯とディスプレイ１４の画像表示とを組み合わせた点灯表現の例であって、データ出力をユーザに観念させる点灯表現の例である。
【００８６】
図１１のCでは、初めに、白色の光を画面中央に配置した画像が、ディスプレイ１４に表示され、画面中央に表示された光が、徐々にスマートユニット１２の方向である画面下方向に移動する。そして、ディスプレイ１４上の光の消滅とともに、スマートユニット１２の中央に配置されたホワイトLED２１Wが点灯し、その後、スマートユニット１２中央の光が左右へ移動して流れるような点灯表現となる。
【００８７】
図１１のDは、３個のLED２１による点灯とディスプレイ１４の画像表示とを組み合わせた点灯表現の例であって、データ入力をユーザに観念させる点灯表現の例である。
【００８８】
図１１のDでは、最初に、カラーLED２１Lおよび２１Rによりスマートユニット１２両端が白色で点灯し、その後消光する。カラーLED２１Lおよび２１Rの消光とともにホワイトLED２１Wが徐々に点灯し、その後消光する。これにより、図１０のBと同様に、スマートユニット１２両端が最初に光り、その光が中央部へ移動して流れるような点灯表現が可能となる。そして、ホワイトLED２１Wの消光とともに、画面内のスマートユニット１２近傍に白色の光が出現する画像がディスプレイ１４に表示される。そして、画面に表示された白色の光が徐々に画面上方向に移動し、画面中央部で消滅する画像がディスプレイ１４に表示される。
【００８９】
以上のように、LEDインジケータ８４による点灯表現と、白色の光がスマートユニット１２に吸い込まれる、または、スマートユニット１２から吐き出されるような画像表示を組み合わせることで、データの入出力をユーザに観念させることができる。
【００９０】
［６．TV操作に対応したLEDインジケータ８４の点灯表現］
次に、TV１への操作に対応したLEDインジケータ８４の点灯表現について説明する。
【００９１】
［６．１  起動・オフ操作］
図１２は、TV１のスタンバイ状態（電源オフ）から起動状態（電源オン）への起動操作、および、起動状態からスタンバイ状態へのスタンバイ操作に対応した点灯表現の例を示している。
【００９２】
TV１がスタンバイ状態である場合、LED制御部１０３は、カラーLED２１Lおよび２１Rを、例えば、図１２のAに示されるように、最大輝度（MAX）の５０％の輝度で発光するように制御する。なお以下の説明において、例えば、最大輝度の５０％の輝度で発光するLED制御を５０％輝度の点灯などという。
【００９３】
そして、ユーザが、リモートコントローラの電源オンボタン等を押下し、TV１をスタンバイ状態から起動状態にする起動操作を行う。そのユーザの操作に対応して、LED制御部１０３は、図１２のBに示されるように、カラーLED２１LおよびカラーLED２１Rを１００％輝度で点灯させる。また、ディスプレイ１４には、所定のロゴ（「SOMY」）が一瞬表示される。
【００９４】
図１２のCは、起動操作検出時の３つのLED２１の輝度の制御シーケンスを示している。LED制御部１０３は、カラーLED２１Lおよび２１Rを１００％輝度で点灯させた後、所定時間で０％輝度となるように制御する。また、LED制御部１０３は、０％輝度であるホワイトLED２１Wを、起動操作の一定時間経過後から徐々に点灯させ、起動操作から所定時間で５０％輝度となるように制御する。
【００９５】
一方、ユーザがTV１を起動状態からスタンバイ状態にするスタンバイ操作を行うと、LED制御部１０３は、図１２のDに示されるLED制御を行う。すなわち、LED制御部１０３は、カラーLED２１Lおよび２１Rの出力を、０％輝度から徐々に５０％輝度に増大するとともに、ホワイトLED２１Wを、５０％輝度から徐々に０％輝度にする制御を行う。
【００９６】
［６．２  ボタン操作］
図１３は、TV１のリモートコントローラのチャンネルボタンや番組表ボタンなど、所定のボタンが押下された場合のLEDインジケータ８４の点灯表現を示している。
【００９７】
従来のテレビジョン受像機では、ボタン操作を検知した一瞬のみ、LEDランプが光るのが一般的である。この場合、ユーザの視線が画面から少しでも外れていた場合には、LEDランプの点灯を見逃し、ボタン操作が検知されたか否かをユーザが認識しにくい。
【００９８】
そこで、LED制御部１０３は、例えば、図１３のAの実線に示されるように、３つのLED２１の出力を、ボタン操作時の０％輝度から、短時間（例えば、０．１秒）で９０％輝度に制御し、その後、所定時間（例えば、０．９秒）をかけて０％輝度まで徐々に減少させる制御を行う。
【００９９】
また例えば、初期状態が所定の出力（例えば、５０％輝度）で発光している状態である場合には、LED制御部１０３は、図１３のBの実線に示されるように、一旦最大輝度まで出力を上げた後、元の出力に戻すように制御する。
【０１００】
このように、ユーザのボタン操作に対応する操作フィードバックとして、輝度を時間経過に応じて変化させ、余韻を残すような点灯表現をすることで、ユーザの視線が画面から少し外れていたり、一瞬見逃した場合でも、点灯を認識することができ、視認性が向上する。
【０１０１】
なお、余韻を残すような点灯表現は、図１３のAおよび図１３のBにおいて破線で示されるような、上述した輝度制御とは反対の制御でもよい。すなわち、図１３の実線で示される制御は、第１の輝度に設定し、その後、第１の輝度より低い第２の輝度に徐々に低下させる制御であるが、反対に、第１の輝度に設定し、その後、第１の輝度より高い第２の輝度に徐々に上昇させる制御でもよい。また、上述した例における発光輝度の制御値はあくまで一例であり、例示の数値に限定されず、任意の値に設定することが可能であることは言うまでもない（その他の例についても同様）。
【０１０２】
［６．３  タイマー操作］
次に、所定の機能を実行するユーザの操作に対応したLEDインジケータ８４の点灯表現について説明する。ここでは、所定の機能として、TV１を、所定の設定時刻で電源をオンまたはオフさせるタイマー機能の例について説明する。
【０１０３】
図１４は、TV１において、タイマー設定を行うときの設定画面を示している。
【０１０４】
設定画面では、指定された時刻に「電源オン」するか、または、「電源オフ」するかを指定する項目である「On Timer」、日にちを指定する項目である「Day」、時刻を指定する項目である「Time」、チャンネルを指定する項目である「Channel」、音声ボリュームを指定する項目である「Voume」などが設けられている。
【０１０５】
設定画面において、上述した各項目は、黒色の背景に、画面中心を基点として円状にぼんやりと所定の色で光る背景画像上に表示されている。ここで、ぼんやりと光っている円の色は、タイマー機能に対して予め割り当てられた色であり、例えば、オレンジ色とする。
【０１０６】
ユーザは、設定画面の各項目を所望の値に設定した上で、設定内容を確定（登録）する操作として、例えば、リモートコントローラの決定ボタンを押下する。ユーザにより決定ボタンが押下されると、TV１は、図１５に示されるような、ディスプレイ１４の画像表示と、スマートユニット１２のLEDインジケータ８４による点灯を組み合わせた連携表現を行う。
【０１０７】
すなわち、図１１のAに示した点灯表現と同様に、設定画面のオレンジ色の光の円が、徐々にスマートユニット１２の方向である画面下方向に移動する。そして、設定画面のオレンジ色の光の円の消滅に同期または連動して、LEDインジケータ８４が点灯する。例えば、設定画面上の円の光が消滅すると、カラーLED２１L及び２１Rにより、スマートユニット１２がオレンジ色で最大輝度となるまで徐々に発光し、その後、徐々に減光して、一定の輝度（例えば、２０％輝度）で常時点灯する。
【０１０８】
スマートユニット１２のLEDインジケータ８４が一定の輝度（例えば、２０％輝度）で常時点灯している状態は、その発光している色に対応する機能がTV１で動作中であることを示す。いまの例では、タイマー機能にオレンジ色が割り当てられているため、LEDインジケータ８４は一定輝度のオレンジ色で点灯し、タイマー機能が動作中であることを示す。
【０１０９】
スマートユニット１２が一定の輝度（例えば、２０％輝度）で常時点灯している場合には、所定の機能がTV１で動作中であることを意味し、ユーザはリモートコントローラの画面表示ボタンを押下することで、どのような機能が動作中であるかを確認することができる。
【０１１０】
図１６は、タイマー機能が動作中であり、かつ、ユーザが所定の放送番組を視聴している場合に、リモートコントローラの画面表示ボタンが押下されたときのTV１の動作を示している。
【０１１１】
図１６の一番左側は、スマートユニット１２が、タイマー機能が動作中を示すオレンジ色で、一定の輝度（例えば、２０％輝度）で点灯している状態を示している。
【０１１２】
リモートコントローラの画面表示ボタンが押下されると、ディスプレイ１４の表示画像とスマートユニット１２の点灯が、時間経過とともに矢印で示される順に変化する。すなわち、ディスプレイ１４では、表示画像のスマートユニット１２の上側の領域に、動作中のタイマー機能の設定内容を示す子画面が重畳表示され、所定時間経過後に消去される。このとき、親画面である放送番組画像に対する子画面の重畳の度合いは、時間の経過とともに大きくなり、その後、時間の経過とともに小さくなる。そして、スマートユニット１２のオレンジ色の発光輝度も、子画面の重畳の度合いに同期して、時間の経過とともに大きくなり、その後、小さくなる。タイマー機能の設定内容を示す子画面は、現在動作中の機能（スマートユニット１２の点灯色に対応する機能）を補足する補足情報としての意味を有する。
【０１１３】
その他、例えば、TV１が裏番組の録画機能を有しているものとして、TV１が録画動作中である場合には、スマートユニット１２は録画動作中には赤色で点灯する。そして、リモートコントローラの画面表示ボタンが押下されると、TV１では、図１７のBに示すように、録画動作中のチャンネル名、番組名、放送番組の画像などが子画面により表示され、スマートユニット１２が、子画面の重畳表示に同期した輝度、かつ、赤色で点灯する。
【０１１４】
また例えば、ユーザがインターネットを介したビデオチャット機能を使用中であり、ビデオチャット画面（ビデオチャット画像ともいう。）を非表示にして番組画像をフルスクリーンで表示している状態では、スマートユニット１２は、ビデオチャット機能に対応する黄色で発光する。そして、リモートコントローラの画面表示ボタンが押下されると、図１７のCに示すように、ディスプレイ１４は、ビデオチャット画面を子画面により表示し、スマートユニット１２は、子画面の重畳表示に同期した輝度、かつ、黄色で点灯する。
【０１１５】
このように、ユーザがリモートコントローラの画面表示ボタンを押下したとき、ディスプレイ１４は、子画面により補足情報を表示し、スマートユニット１２は、その子画面に同期した輝度、および、補足情報の種類に対応する色で点灯する。
【０１１６】
これにより、ユーザは、スマートユニット１２が所定の色で常時点灯している状態を見るだけで、TV１で何の機能が動作中であるかを知ることができる。すなわち、TV１の所定の機能の動作または設定状態を直感的に認識することができる。そして、必要に応じて、動作中の機能の補足情報を子画面として表示させることもできる。
【０１１７】
［６．４  その他の操作］
図１８乃至図２１を参照して、その他の操作に対応する、ディスプレイ１４の画像表示と、LEDインジケータ８４の点灯表現を組み合わせた連携点灯表現の例について説明する。
【０１１８】
なお、図１８乃至図２１において、ディスプレイ１４の表示画像において、光の円の上に表示されている「A」は、ユーザが現在操作（上下キー操作、ドラッグ操作）している所定の機能を示す表示である。
【０１１９】
図１８は、リモートコントローラの上キー、下キー、右キー、左キーの４方向の方向キーのうち、上キーが押下されたときの連携点灯表現を示している。
【０１２０】
上キーが押下された場合、点灯させた光が、上キーに対応する上方向の移動となるように、連携点灯表現が行われる。具体的には、スマートユニット１２が先に点灯する。その後、スマートユニット１２の光が次第に消灯するのに合わせて、スマートユニット１２近傍に表示された光が画面中央に上昇するように移動する画像が、ディスプレイ１４に表示される。
【０１２１】
図１９は、リモートコントローラの下キーが押下されたときの連携点灯表現を示している。
【０１２２】
下キーが押下された場合、点灯させた光が、下キーに対応する下方向の移動となるように、連携点灯表現が行われる。具体的には、まず、画面中央に円状の光を有する画像がディスプレイ１４に表示される。そして、画面中央の円状の光が、スマートユニット１２に向かって画面下方向に移動する画像がディスプレイ１４に表示される。次に、ディスプレイ１４上の光の消滅に合わせて、スマートユニット１２が点灯、その後消灯する。
【０１２３】
図２０は、TV１のディスプレイ１４がタッチパネルである場合に、ユーザがディスプレイ１４を指でタッチして、スマートユニット１２に向かって画面下方向にドラッグしたときの連携点灯表現を示している。この場合、TV１は、図１９で説明した、リモートコントローラの下キーが押下されたときと同様の画像表示および点灯を行う。
【０１２４】
図２１は、TV１のディスプレイ１４がタッチパネルである場合に、ユーザがディスプレイ１４を指でタッチして、スマートユニット１２近傍から画面上方向にドラッグしたときの連携点灯表現を示している。この場合、TV１は、図１８で説明した、リモートコントローラの上キーが押下されたときと同様の画像表示および点灯を行う。
【０１２５】
以上のように、TV１に対して所定の設定操作が行われたとき、円状の光がスマートユニット１２に吸い込まれる、または、円状の光がスマートユニット１２から吐き出されるような連携点灯表現が実行される。なお、連携点灯表現は、例示の「円状」に限定されず、任意の色、形状を採用することができる。また「円状の光」に代えて、所定の文字、図形、またはそれらの組み合わせを用いることができる。
【０１２６】
ユーザは、スマートユニット１２が所定の輝度、色で点灯または点滅しているときに、上述したような予め定められた操作を行うことで、スマートユニット１２の点灯または点滅が示す内容（意味）を即座かつ簡単に確認することができる。
【０１２７】
［７．消画動作における連携点灯表現］
TV１は、スマートユニット１２内にカメラ９３を備えており、カメラ９３が撮像した画像をもとにTV１前方のユーザを検知することができる。そして、TV１は、ユーザがTV１の前に一定時間存在しない状態が検知されると、省電力のために画像を非表示とする消画機能を有している。
【０１２８】
図２２のAは、TV１が消画モードに移行する場合の、ディスプレイ１４の画像表示と、スマートユニット１２による点灯を組み合わせた連携表現を示している。
【０１２９】
消画モードに移行する場合には、制御部６６は、図２２のAに示されるように、消画対象の画像が、ディスプレイ１４下側に配置されたスマートユニット１２に吸い込まれるように、ディスプレイ１４の画像表示を制御する。すなわち、ディスプレイ１４に表示される画像では、消画対象の画像がスマートユニット１２に吸い込まれるに従い、スマートユニット１２近傍の発光輝度が高くなっている。そして、ディスプレイ１４に表示されていた画像がスマートユニット１２に吸い込まれるほど、スマートユニット１２が明るく点灯する（輝度が上昇する）。換言すれば、制御部６６は、ディスプレイ１４上の画像の表示率と、スマートユニット１２の発光輝度が反比例するように、ディスプレイ１４の表示とスマートユニット１２の点灯を制御する。
【０１３０】
図２２のBは、消画モードから通常モード（表示モード）に復帰する場合の、ディスプレイ１４の画像表示と、スマートユニット１２による点灯を組み合わせた連携表現を示している。
【０１３１】
通常モードに復帰する場合には、制御部６６は、図２２のBに示されるように、表示対象の画像がスマートユニット１２から吐き出されるように、表示画像を制御する。すなわち、ディスプレイ１４のスマートユニット１２近傍が高輝度の画像となり、その後、表示対象の画像が全画面へと拡大する。スマートユニット１２は、表示対象の画像がディスプレイ１４に表示されるに応じて徐々に低輝度に変化する。換言すれば、スマートユニット１２の発光輝度は、ディスプレイ１４の表示対象の画像の表示率に反比例して低くなる。
【０１３２】
このように、制御部６６は、消画対象の画像がスマートユニット１２に吸い込まれるような、また、表示対象の画像がスマートユニット１２から吐き出されるような、ディスプレイ１４とスマートユニット１２の連携表現を行う。スマートユニット１２が、TV１のコア（中心部、中核）であるように、ユーザに観念させることができる。
【０１３３】
［８．ビデオチャット画面とLEDインジケータ８４の連携］
図２３は、TV１において、インターネットを介したビデオチャット機能を使用する際の画面遷移を示している。
【０１３４】
画像２０１のように、ユーザが所定の放送番組をTV１で視聴しているとき、インターネット等のネットワークを介して他のユーザからビデオチャットの着信があると、TV１は、画像２０２のように、ビデオチャットの着信を示す音と同期して、スマートユニット１２を点灯させる。ここで、ビデオチャットの着信を示す音と同期して点灯するとは、ビデオチャットの着信を示す音の音程またはボリュームに応じてLEDインジケータ８４の発光輝度が変化することを表す。図１７のCを参照して上述したように、LEDインジケータ８４の発光色は、所定の機能と対応付けられているので、ユーザは、仮に、ビデオチャットの着信を示す音がしなくなったときでも、LEDインジケータ８４の点灯色を視認することで、ビデオチャットの着信があったことを認識することができる。
【０１３５】
ユーザが、リモートコントローラの所定のボタンを押下するなどして、ビデオチャットの着信に応答する。すると、TV１の制御部６６は、画像２０３ないし２０４に示されるように、図２２のBを参照して説明した、ディスプレイ１４の画像表示と、スマートユニット１２による点灯を組み合わせた連携表現でビデオチャット画面を表示させる。すなわち、制御部６６は、いま視聴していた放送番組画像の上に、ビデオチャット画像がスマートユニット１２から吐き出されるように、スマートユニット１２の点灯とディスプレイ１４の表示画像を制御する。
【０１３６】
ユーザがビデオチャットを終了した場合、TV１の制御部６６は、画像２０６乃至２０９に示されるように、図２２のAを参照して説明した、ディスプレイ１４の画像表示と、スマートユニット１２による点灯を組み合わせた連携表現でビデオチャット画像を消去させる。すなわち、制御部６６は、ビデオチャット画像が、ディスプレイ１４下側に配置されたスマートユニット１２に吸い込まれるように、スマートユニット１２の点灯とディスプレイ１４の表示画像を制御する。
【０１３７】
なお、ビデオチャットでは、ビデオチャット画像をディスプレイ１４に表示させず、音声会話のみでチャットすることもできる。音声会話のみでチャットする音声会話モードでは、画像２１０および２１１に示されるように、ビデオチャット画像が消去され、通話相手の音声（音）と同期して、スマートユニット１２が点灯する。
【０１３８】
上述した例は、表示中の放送番組画像の上に、ビデオチャット画像を表示する例を説明した。しかし、その他の画像を表示および消去する場合にも、このようなディスプレイ１４の画像表示と、スマートユニット１２による点灯を組み合わせた表現を採用することができる。
【０１３９】
図２４は、ディスプレイ１４の画像表示と、スマートユニット１２による点灯を組み合わせた表現を電子POP(Point of purchase advertising)に適用した例を示している。
【０１４０】
また例えば、スマートユニット１２のカメラ９３で撮像したユーザ画像に基づいてユーザ個人を認識し、認識したユーザに最適な情報を提供する情報提供画面の表示および消去にも、このようなディスプレイ１４の画像表示と、スマートユニット１２による点灯を組み合わせた表現を採用することができる。情報提供画面においてユーザに提供する情報の内容は、認識したユーザ個人だけでなく、時刻、日付、天気などに応じて変更することができる。例えば、あるユーザを平日の朝に認識した場合に、情報提供画面により、予め登録されている電車路線、道路などの交通情報（渋滞情報）などを提示することができる。
【０１４１】
以上のように、ディスプレイ１４に表示中の第１の画像上に、別の画像である第２の画像を重畳表示・消去する際に、第２の画像がスマートユニット１２に吸い込まれる、または、スマートユニット１２から吐き出されるような連携表現を採用することができる。
【０１４２】
［９．映像視聴体験に基づくLEDインジケータ８４の情報表現］
次に、ディスプレイ１４に表示された情報説明画像と、スマートユニット１２のLEDインジケータ８４が所定の点灯をすることによって、ユーザに所定の情報（状態）を認識させる例について説明する。
【０１４３】
［９．１  点灯位置に対応］
図２５を参照して、情報説明画像と、LEDインジケータ８４の点灯位置に応じて、ユーザに所定の情報を認識させる例について説明する。
【０１４４】
上述したように、LEDインジケータ８４は、３つのLED２１が横方向に並んで配置されているので、それぞれを独立に点灯させることで、左側、中央、右側の３つの位置をユーザに識別させることができる。
【０１４５】
そこで、初めに、制御部６６は、図２５上側に示されるように、ディスプレイ１４において、左側、中央、右側の３つのLED２１に対応する位置に、所定の情報を説明する説明画像を表示する。図２５上側の例では、左側のLED２１Lに対応して「情報A」を説明する画像、中央のLED２１Wに対応して「情報B」を説明する画像、右側のLED２１Rに対応して「情報C」を説明する画像が表示されている。
【０１４６】
そして、制御部６６は、「情報A」、「情報B」、および「情報C」を説明する説明画像を表示している間、３つのLED２１を、例えば、１個ずつ順次点灯させ、情報A，情報B,情報CとLED２１との対応関係をユーザに認識させる。
【０１４７】
その後、図２５下側のように、ディスプレイ１４に表示される画像が切り換えられ、説明画像が消去される。図２５下側の例では、山を映した画像がTV１のディスプレイ１４に表示されているが、スマートユニット１２の点灯とは無関係という程度の意味であり、画像自体に意味はない。
【０１４８】
ディスプレイ１４において山の画像を表示中、左側のLED２１Lが点灯すると、それを見たユーザは、「情報A」であることがわかる。中央のLED２１Wが点灯すると、それを見たユーザは、「情報B」であることがわかる。右側のLED２１Rが点灯すると、それを見たユーザは、「情報C」であることがわかる。このように、制御部６６は、所定の情報を表す場合に、その情報に対応する位置のLED２１を点灯させる。
【０１４９】
具体的な例で説明する。例えば、３人の相手と同時にビデオチャットをしているシーンを想定する。この場合、制御部６６は、例えば、ディスプレイ１４に表示する説明画像の「情報A」として、ユーザAさんの撮影画像、「情報B」として、ユーザBさんの撮影画像、「情報C」として、ユーザCさんの撮影画像を表示した後、ディスプレイ１４を放送番組画像に切り換える。そして、制御部６６は、ユーザAさんが通話しているときには左側のLED２１Lを点灯させ、ユーザBさんが通話しているときには中央のLED２１Wを点灯させ、ユーザCさんが通話しているときには、右側のLED２１Rを点灯させる。TV１の前のユーザは、LEDインジケータ８４の点灯位置を見るだけで、どのユーザが通話しているのかを容易に認識することができる。
【０１５０】
なお上述した例において、ユーザAさん、ユーザBさん、ユーザCさんの撮影画像の代わりに、「この位置がユーザAさんです」のような説明が書かれた画像を表示してもよい。
【０１５１】
図２６は、LEDインジケータ８４の点灯位置に応じて、ユーザに所定の情報を認識させるその他の例を示している。
【０１５２】
図２６の例では、制御部６６は、図２５と同様に説明画像を表示した後、「情報B」を説明する画像を画面下方向に移動させる。そして、「情報B」を説明する画像が消えるとともに、「情報B」に対応する中央のLED２１Wを点灯させることで、所定の情報とLED２１との対応関係をユーザに認識させる。これにより、画像が切り換えられた後でも、中央のLED２１Wが点灯した場合、それを見たユーザは、「情報B」であることがわかる。
【０１５３】
［９．２  点灯周期に対応］
図２７を参照して、情報説明画像と、LEDインジケータ８４の点灯周期（明滅パターン）に応じて、ユーザに所定の情報を認識させる例について説明する。
【０１５４】
図２７の例では、説明する情報の個数が「情報A」ないし「情報F」の６個になっている。
【０１５５】
制御部６６は、初めに、図２７上側に示されるように、「情報A」ないし「情報F」の説明画像をディスプレイ１４に表示し、「情報A」ないし「情報F」の各説明画像を、それぞれ異なる明滅パターンで、順次、表示させる。またこのとき、LEDインジケータ８４のLED２１Wも画像の明滅パターンに同期した明度で点灯される。
【０１５６】
その後、ディスプレイ１４の画像が切り換えられた後、スマートユニット１２が、先ほどの説明画像で提示された「情報A」ないし「情報F」の明滅パターンのうちの、いずれか一つの明滅パターンで点灯する。例えば、図２７に示されるように、スマートユニット１２のLED２１Wが「情報A」の明滅パターンで点灯（点滅）したとする。この場合、ユーザは、無関係の画像がディスプレイ１４に表示されている場合であっても、「情報A」であることがわかる。
【０１５７】
［９．３  点灯色に対応］
次に、図２８を参照して、情報説明画像と、LEDインジケータ８４の点灯色に応じて、ユーザに所定の情報を認識させる例について説明する。
【０１５８】
初めに、制御部６６は、図２５に示した例と同様に、「情報A」、「情報B」、および「情報C」を説明する説明画像をディスプレイ１４に表示する。ただし、図２８では、「情報A」、「情報B」、および「情報C」を説明する説明画像が、異なる色で表現されている点が異なる。例えば、「情報A」は、赤色で表示され、「情報B」は、青色で表示され、「情報C」は、緑色で表示される。
【０１５９】
その後、ディスプレイ１４の画像が切り換えられ、説明画像が消去された後、図２８左側に示されるように、カラーLED２１Lが赤色で点灯すると、それを見たユーザは、「情報A」であることがわかる。
【０１６０】
また、スマートユニット１２の左右方向を時間軸と定義して、時間軸方向に複数の色を並べて点灯させることで、情報の内容と、その順位付けもスマートユニット１２の点灯で認識させることができる。図２８右側の例では、カラーLED２１Lが緑色、カラーLED２１Rが赤色で表示されているので、ユーザは、緑色、赤色の順である「情報C」、「情報A」の順番になったことがわかる。
【０１６１】
［１０．スマートユニット１２に対して行ったユーザ操作に対応した連携表現］
スマートユニット１２は、上述したように、タッチセンサ８５を有し、ユーザの手や指の接触または近接を検知することができる。また、スマートユニット１２は、NFC通信部８８およびBT通信部８９を有し、他のNFC機器やBT機器と通信することができる。さらに、スマートユニット１２は、カメラ９３を有しているので、ユーザの動作を検知することができる。TV１は、スマートユニット１２に対する様々なユーザの操作に対応して、LEDインジケータ８４の点灯とディスプレイ１４の画像表示による所定の連携表現を行うことができる。
【０１６２】
［１０．１  スマートユニット１２へのタッチ操作に対応した連携表現］
図２９は、スマートユニット１２へのタッチ操作に対応した連携表現の例を示している。
【０１６３】
上述した図１６の例では、TV１においてタイマー機能が動作中である場合に、タイマー機能に対応する発光色であるオレンジ色でスマートユニット１２が点灯し、リモートコントローラの画面表示ボタンが押下されると、子画面により補足情報が表示される例について説明した。
【０１６４】
図２９の例は、図１６の例の画面表示ボタンの押下に代えて、スマートユニット１２へのタッチ操作が検出された場合に、同様の連携表現を行う例を示している。
【０１６５】
TV１においてタイマー機能が動作中である場合に、タイマー機能に対応する発光色のオレンジ色でスマートユニット１２が点灯している。ユーザは、オレンジ色で点灯しているスマートユニット１２を手でタッチする。TV１の制御部６６は、ユーザのスマートユニット１２へのタッチ操作を検出すると、図１６に示したように、補足情報としての子画面の重畳表示を行うとともに、その子画面に同期させてスマートユニット１２（のLEDインジケータ８４）を、その機能に対応する色で発光させる。
【０１６６】
ユーザは、スマートユニット１２が所定の色で常時点灯している状態を見るだけで、TV１の何の機能が動作中であるかを知ることができる。すなわち、TV１の所定の機能の動作または設定状態を直感的に認識することができる。また、スマートユニット１２へのタッチという簡単な操作で、動作中の機能の補足情報を子画面として表示させることができ、内容を呼び出すことができる。
【０１６７】
図２９は、上述した図１６の場合と同様、放送番組画像など所定の画像を親画面として表示している場合の例であるが、図３０は、TV１がスタンバイ状態で、画像が非表示のときに、スマートユニット１２へのタッチ操作が検出された場合の例を示している。
【０１６８】
この場合も同様に、TV１は、ユーザのスマートユニット１２へのタッチ操作を検出すると、ディスプレイ１４内のスマートユニット１２近傍に補足情報を表示し、その補足情報の表示に同期させてスマートユニット１２のLEDインジケータ８４を、機能に対応する色で発光させる。
【０１６９】
［１０．２  スマートユニット１２に対するNFC近接操作に対応した連携表現］
図３１は、スマートユニット１２に対するNFC近接操作に対応した連携表現の例を示している。
【０１７０】
図３１の例では、ユーザが、自分の手ではなく、NFC通信機能を備えた携帯端末（スマートフォンなど）２２１を把持して、スマートユニット１２へ近づける。
【０１７１】
TV１は、携帯端末２２１のスマートユニット１２への近接を検出すると、スマートユニット１２が、近接を検出したことを示す点灯を行う。例えば、携帯端末２２１のLEDランプと同期または連動してLEDインジケータ８４が点灯する。
【０１７２】
その後、TV１は、図２９と同様の連携表現を行う。すなわち、TV１は、図１６に示したように、補足情報としての子画面の重畳表示を行うとともに、その子画面に同期させてLEDインジケータ８４を、その機能に対応する色で発光させる。
【０１７３】
図３２は、TV１がスタンバイ状態であるときに、スマートユニット１２に対する携帯端末２２１の近接が検出された場合の例を示している。
【０１７４】
この場合も同様に、携帯端末２２１のスマートユニット１２への近接を検出すると、スマートユニット１２が、近接を検出したことを示す点灯を行う。次に、ディスプレイ１４内のスマートユニット１２近傍に補足情報が表示され、その補足情報の表示と同期してLEDインジケータ８４が、機能に対応する色で発光する。
【０１７５】
［１０．３  携帯端末とTV１とのデータ転送に対応した連携表現］
図３３は、近接された携帯端末２２１とスマートユニット１２との間で行われるデータ転送に対応した連携表現の例を示している。
【０１７６】
図３３のAは、携帯端末２２１からTV１へデータを転送する場合の連携表現例を示している。
【０１７７】
ユーザが携帯端末２２１をTV１のスマートユニット１２に近づける。TV１の制御部６６は、携帯端末２２１のスマートユニット１２への近接を検出すると、スマートユニット１２を、携帯端末２２１のLEDランプと同期して点灯させる。すなわち、スマートユニット１２のLEDインジケータ８４と携帯端末２２１のLEDランプが、同一タイミングで発光し、常時点灯する、若しくは、同一の明滅パターンで点灯および消灯を繰り返す。
【０１７８】
次に、NFC通信による携帯端末２２１からTV１へのデータ転送が開始する。TV１の制御部６６は、NFC通信により、携帯端末２２１から所定のデータの取得を開始する。
【０１７９】
データの転送動作中、TV１の制御部６６は、携帯端末２２１のLEDランプの点灯と組み合わせた、データ入力を表す点灯表現を行う。具体的には、初めに、携帯端末２２１のLEDランプが所定の輝度で点灯する。そして、携帯端末２２１のLEDランプの消灯動作（輝度の低減）に対応して、TV１の制御部６６は、図１１のBまたは図１１のDの、LEDインジケータ８４とディスプレイ１４の画像表示を組み合わせた点灯表現を行う。図３２のAは、TV１が図１１のBの点灯表現を行う例を示している。
【０１８０】
図３３のBは、TV１から携帯端末２２１へデータを転送する場合の連携表現例を示している。
【０１８１】
NFC通信装置としてのTV１（のスマートユニット１２）と携帯端末２２１が、通信相手を検出した際の点灯表現は、図３３のAと同様である。
【０１８２】
TV１から携帯端末２２１へデータの転送が開始されると、TV１の制御部６６は、携帯端末２２１のLEDランプの点灯と組み合わせた、データ出力を表す点灯表現を行う。具体的には、初めに、TV１の制御部６６は、図１１のAまたは図１１のCの、LEDインジケータ８４とディスプレイ１４の画像表示を組み合わせた点灯表現を行う。そして、携帯端末２２１では、LEDインジケータ８４の消灯動作（輝度の低減）に対応して、携帯端末２２１のLEDランプが徐々に点灯し、その後、消灯する。図３３のBは、TV１が図１１のAの点灯表現を行う例を示している。
【０１８３】
以上のように、TV１は、LEDインジケータ８４で、NFC通信の通信相手の外部機器の表示部（LEDランプ）と連携（同期または連動）した点灯表現をすることにより、通信相手を検出したことを表す。
【０１８４】
また、TV１は、LEDインジケータ８４の点灯と画像表示（映像表現）とを組み合わせた連携表現を、さらにNFC通信の通信相手の外部機器のLEDランプの点灯と連携させることにより、データの入出力動作を表す。
【０１８５】
［１０．４  スマートユニット１２に対するジェスチャ操作に対応した連携表現］
TV１は、ジェスチャ操作によってTV１に対して所定の命令を与えたり、所定の情報を入力するジェスチャ入力モードを備える。
【０１８６】
TV１の制御部６６は、ジェスチャ入力モードにおいて、ユーザの手の検出、ジェスチャの認識を行った場合、LEDインジケータ８４を図３４に示すように点灯させる制御を行う。
【０１８７】
すなわち、TV１前にいるユーザが、手のひらをTV１（のカメラ９３）に向ける。制御部６６は、カメラ９３で撮影された画像に基づいてユーザの手を検出すると、LEDインジケータ８４を、第１の輝度（例えば、４０％輝度）で点灯させる。
【０１８８】
ユーザが、予め決定された所定のジェスチャを行い、TV１の制御部６６が、カメラ９３で撮影された画像に基づいて、そのジェスチャを認識すると、第１の輝度から第２の輝度（例えば、１００％輝度）に瞬間的に上昇させる。その後、制御部６６は、第２の輝度から第１の輝度となるように徐々に輝度を低下させる。
【０１８９】
制御部６６は、カメラ９３で撮影された画像に基づいてジェスチャを再度認識すると、第１の輝度から第２の輝度に瞬間的に上昇させ、徐々に第１の輝度に戻す制御を行う。一方、ユーザが手を下ろし、認識対象のユーザの手のひらが検出できなくなると、制御部６６は、LEDインジケータ８４を消灯させる。
【０１９０】
このように、制御部６６は、ジェスチャが認識されたときに、時間経過に応じて第１の輝度から第２の輝度に変化させ、余韻を残すような点灯表現となるよう、LEDインジケータ８４を制御する。このような点灯を行うことで、所定の命令や情報を受け付ける側のTV１が、ユーザの指示を受け付けているか否かが容易にわかる。
【０１９１】
［１０．５  BT機器のペアリング操作に対応した連携表現］
図３５は、BT機器のペアリング操作に対応した連携表現の例を示している。
【０１９２】
図３５に示されるヘッドフォン２４１は、TV１から放送番組等の音声信号をBT通信により受信し、音声出力するBT機器である。ヘッドフォン２４１は、電源状態または通信状態に応じて所定の光を発光するLEDランプ２４２を有している。
【０１９３】
図３５のAに示されるように、BT機器であるTV１とヘッドフォン２４１がペアリングされる前、TV１のLEDインジケータ８４と、ヘッドフォン２４１のLEDランプ２４２はともに消灯している。
【０１９４】
ユーザは、TV１とヘッドフォン２４１のペアリング操作を行う。すなわち、ユーザがヘッドフォン２４１に対して予め決定された所定の操作を行うことで、ヘッドフォン２４１がペアリングモードに変更される。また、TV１もペアリングモードに変更され、TV１の制御部６６は、通信可能範囲内のBT機器を検索し、ヘッドフォン２４１を検出する。
【０１９５】
TV１の制御部６６は、検出されたヘッドフォン２４１とペアリング動作を実行する。これにより、TV１とヘッドフォン２４１との間で、同一パスコード（PINコード）が共有される。
【０１９６】
ペアリングが終了すると、TV１は、図３５のBに示されるような、ペアリングが終了したことを示す、LEDインジケータ８４の点灯と画像表示（映像表現）とを組み合わせた連携表現を行う。すなわち、TV１は、LEDインジケータ８４を第１の輝度（例えば、１００％輝度）で発光させるとともに、スマートユニット１２を中心とする半円状の光の画像をディスプレイ１４に表示させる。ディスプレイ１４に表示される画像には、「Pairing with Headphone!」の文字も表示されている。このLEDインジケータ８４の点灯と画像表示は、ヘッドフォン２４１のLEDランプ２４２の明滅パターンと同一となるように同期して行われるように制御される。なお、LEDインジケータ８４の点灯と画像表示は、ヘッドフォン２４１のLEDランプ２４２の明滅パターンと所定の時間差を保って連動するように行われてもよい。
【０１９７】
ペアリング設定が行われたTV１とヘッドフォン２４１の２回目以降の接続において、お互いのBT機器が検出されたときも、図３５のBと同様の、同期した点灯制御が行われる。また、TV１とヘッドフォン２４１がBT通信により接続中である場合、スマートユニット１２のLEDインジケータ８４とヘッドフォン２４１のLEDランプ２４２は、第１の輝度よりも低い第２の輝度（例えば、４０％輝度）で常時点灯する。
【０１９８】
［１０．６  ホームネットワーク内のWi-Fi機器との連携表現］
TV１は、有線または無線により、ホームネットワークに接続された他の通信機器との通信状態に応じて、スマートユニット１２を点灯させる。
【０１９９】
TV１は、例えば、DLNA（Digital Living Network Alliance）規格に対応したDLNA対応機器であり、DLNA規格に準拠した他のDLNA対応機器からコンテンツを取得し、取得したコンテンツの画像をディスプレイ１４に表示させることができる。
【０２００】
第１のDLNA対応機器から第２のDLNA対応機器へ、第１のDLNA対応機器で再生表示しているコンテンツ（の画像）を出力させる操作（動作）をスローと称する。逆に、第２のDLNA対応機器で再生表示されているコンテンツ（の画像）を、第１のDLNA対応機器に入力させる操作（動作）をキャッチと称する。
【０２０１】
図３６は、第１のDLNA対応機器である携帯端末２６１から、第２のDLNA対応機器としてのTV１にコンテンツをスローする際の、TV１および携帯端末２６１の連携表現の例を示している。
【０２０２】
初めに、ユーザは、携帯端末２６１において、現在再生表示しているコンテンツのスロー処理を選択する。これにより、図３６のAに示されるように、携帯端末２６１のディスプレイ２６２には、スロー先の候補として、ホームネットワークに接続されているDLNA対応機器のアイコンであるスロー機器アイコン２８１および２８２が表示される。この例では、スロー機器アイコン２８１がTV１に対応し、スロー機器アイコン２８２が、ホームネットワークに接続されたパーソナルコンピュータ（不図示）に対応するものとする。以下では、スロー機器アイコン２８１はTVアイコン２８１、スロー機器アイコン２８２はPCアイコン２８２ともいう。
【０２０３】
ユーザは、再生表示されているコンテンツのサムネイルを用いたコンテンツアイコン２８３を指でドラッグして、スローしたいスロー機器アイコン２８１または２８２まで移動させる。
【０２０４】
ユーザは、スロー先としてTV１を選択するとして、TVアイコン２８１の上でドラッグした指をディスプレイ２６２から離す。
【０２０５】
TVアイコン２８１の上で、ドラッグした指が離されると、コンテンツアイコン２８３が、図３６のCに示されるように、TVアイコン２８１に吸い込まれるように消えて、最終的に、図３６のDのようになる。コンテンツアイコン２８３がTVアイコン２８１に吸い込まれて消えていき、消滅するのと対照的に、図３６のCに示されるように、スマートユニット１２のLEDインジケータ８４が、第１の輝度（５０％輝度）から徐々に明るくなり、第２の輝度（１００％輝度）まで上昇する。そして、図３６のDに示されるように、LEDインジケータ８４が第２の輝度から徐々に消灯されるに従い、TV１のディスプレイ１４に、携帯端末２６１で再生表示されていたコンテンツの画像が表示される。  
【０２０６】
図３７は、携帯端末２６１のディスプレイ２６２で再生表示されているコンテンツ画像２９１が、徐々にTV１に表示される様子を示している。図３７のA→図３７のB→図３７のC→図３７のD→図３７のEのように、携帯端末２６１で再生中のコンテンツ画像２９１が、TV１に表示されていく。
【０２０７】
［キャッチ＆スローの各種の操作］
図３８ないし図４４を参照して、キャッチまたはスローの連携通信と、それに対応するTV１のディスプレイ１４とLEDインジケータ８４の連携表現について説明する。
【０２０８】
まず、TV１が接続しているホームネットワークには、図３８に示されるように、TV１、タブレット端末３０１、および、スマートフォンとも呼ばれる携帯端末３０２が接続されている。
【０２０９】
タブレット端末３０１は、ディスプレイ３１１およびLEDランプ３１２と、それらを制御する制御部（不図示）、並びに、Wi-Fi通信、NFC通信、BT通信等の無線通信を行う無線通信部（不図示）を有する。タブレット端末３０１のディスプレイ３１１には、所定のコンテンツ画像３１３が表示されている。携帯端末３０２も、ディスプレイ３２１およびLEDランプ３２２と、それらを制御する制御部（不図示）、並びに、無線通信部（不図示）を有する。携帯端末３０２のディスプレイ３２１には、所定のコンテンツ画像３２３が表示されている。TV１のディスプレイ１４には、放送番組等のコンテンツ画像３３１が表示されている。
【０２１０】
ユーザが、携帯端末３０２において、ディスプレイ３２１をタップするなどの、予め決められた所定の操作を行うと、図３９のAに示されるスローキャッチ指示画面がディスプレイ３２１に表示される。スローキャッチ指示画面には、スロー処理を実行する際に操作されるスロー選択アイコン３４１と、キャッチ処理を実行する際に操作されるキャッチ選択アイコン３４２が表示されている。
【０２１１】
携帯端末３０２で再生表示されているコンテンツ画像３２３をスローする場合には、ユーザは、ディスプレイ３２１に表示されたスロー選択アイコン３４１をタップ（選択）する。
【０２１２】
スロー選択アイコン３４１がタップされ、スロー（処理）が選択されると、図３９のBに示されるように、スロー先候補としての、TV１に対応するTVアイコン３４３、タブレット端末３０１に対応するタブレットアイコン３４４が、携帯端末３０２のディスプレイ３２１に表示される。
【０２１３】
ユーザは、携帯端末３０２に表示されたTVアイコン３４３またはタブレットアイコン３４４のいずれかをタップしてスロー先として選択することで、携帯端末３０２で再生表示されているコンテンツ画像３２３が、TV１またはタブレット端末３０１にスローされる。
【０２１４】
また、図３９のBに示されるスロー先選択画面が携帯端末３０２のディスプレイ３２１に表示されている状態において、図４０に示されるように、ユーザは、把持している携帯端末３０２を、スロー先としてのTV１のスマートユニット１２へ近づける。すると、TV１と携帯端末３０２がNFC通信により互いの近接を検出し、TV１がスロー先として選択され、携帯端末３０２で再生表示されているコンテンツ画像３２３が、TV１にスローされる。
【０２１５】
スロー処理では、スロー先のTV１と携帯端末３０２との間で、図３７を参照して説明したTV１のディスプレイ１４とLEDインジケータ８４の連携表現が実行される。
【０２１６】
一方、図３９のAに示されるスローキャッチ指示画面において、キャッチ選択アイコン３４２がタップされ、キャッチ（処理）が選択された場合にも、図３９のBと同様のキャッチ先選択画面が携帯端末３０２のディスプレイ３２１に表示される。そして、TVアイコン３４３若しくはタブレットアイコン３４４のタップ、または携帯端末３０２の近接により、キャッチ対象のDLNA対応機器が指定される。その結果、指定された方のDLNA対応機器から、コンテンツ画像が入力され、携帯端末３０２のディスプレイ３２１に表示される。
【０２１７】
図４１及び図４２は、連携通信のその他の操作方法を説明する図である。
【０２１８】
携帯端末３０２において、図３９のBのスロー先選択画面が表示された状態から、ディスプレイ３２１に表示されているコンテンツ画像３２３を図面上方向にドラッグし、TVアイコン３４３またはタブレットアイコン３４４の上で、指を離す操作をすることで、スロー先としてTV１または携帯端末３０２を指定することができる。
【０２１９】
このとき、図４１に示されるように、ドラッグにより、コンテンツ画像３２３が縮小されたコンテンツ画像３２３Aが、TVアイコン３４３と重なる状態になると、TVアイコン３４３に対応するTV１のスマートユニット１２のLEDインジケータ８４が所定周期で点灯する。換言すれば、携帯端末３０２は、コンテンツ画像３２３AがTVアイコン３４３と重なる状態とされることによりスロー先として選択されたTV１に対して、選択されていることを示す制御信号を送信することにより、スマートユニット１２のLEDインジケータ８４を所定周期で点灯させる。
【０２２０】
一方、図４２に示されるように、ドラッグにより、コンテンツ画像３２３が縮小されたコンテンツ画像３２３Aが、タブレットアイコン３４４と重なる状態になると、タブレットアイコン３４４に対応するタブレット端末３０１のLEDランプ３１２が所定周期で点灯する。換言すれば、携帯端末３０２は、コンテンツ画像３２３Aがタブレットアイコン３４４と重なる状態とされることによりスロー先として選択されたタブレット端末３０１に対して、選択されていることを示す制御信号を送信することにより、スマートユニット１２のLEDインジケータ８４を所定周期で点灯させる。
【０２２１】
このように、TV１およびタブレット端末３０１は、携帯端末３０２において、コンテンツ画像３２３の出力先として、自分が選択されている場合に所定周期で点灯する。これにより、ユーザがスロー先（コンテンツデータの出力先）の装置を容易に認識することができる。
【０２２２】
図４３は、連携通信のさらにその他の操作方法を説明する図である。
【０２２３】
図３８に示した、ユーザが、携帯端末３０２でコンテンツ画像３２３を再生表示している状態において、図４３のAに示されるように、携帯端末３０２のディスプレイ３２１上を、図面上方向にドラッグする。携帯端末３０２は、ユーザの上方向のドラッグ操作を検出すると、スロー命令が指示されたと認識し、スロー動作を意味するスローアイコン３６１をディスプレイ３２１に重畳表示させる。その後、図３９のBと同様のスロー先選択画面がディスプレイ３２１に表示される。
【０２２４】
一方、ユーザが、図４３のBに示されるように、携帯端末３０２のディスプレイ３２１上を、図面下方向にドラッグする。携帯端末３０２は、ユーザの下方向のドラッグ操作を検出すると、キャッチ命令が指示されたと認識し、キャッチ動作を意味するキャッチアイコン３６２をディスプレイ３２１に重畳表示させる。その後、図３９のBと同様のキャッチ先選択画面がディスプレイ３２１に表示される。
【０２２５】
スロー先またはキャッチ先の選択画面表示後の動作は、上述した例と同様であるので省略する。
【０２２６】
図４４は、連携通信のさらにその他の操作方法を説明する図である。
【０２２７】
図３８に示した、携帯端末３０２でコンテンツ画像３２３を再生表示している状態において、ユーザは、図４４に示されるように、把持している携帯端末３０２を、連携通信先としてのTV１のスマートユニット１２へ近づける。すると、TV１と携帯端末３０２はNFC通信により互いの近接を検出する。そして、TV１のスマートユニット１２のLEDインジケータ８４と、携帯端末３０２のLEDランプ３２２が、同期して点灯する。
【０２２８】
同時に携帯端末３０２は、ディスプレイ３２１に、図３９のAと同様の連携通信選択画面を表示させる。連携通信選択画面において、スロー選択アイコン３４１がタップ（選択）された場合、携帯端末３０２で再生表示されているコンテンツ画像３２３が、TV１にスローされる。一方、連携通信選択画面において、キャッチ選択アイコン３４２がタップ（選択）された場合、TV１で再生表示されているコンテンツ画像３３１が、TV１から携帯端末３０２にキャッチされ、携帯端末３０２のディスプレイ３２１に表示される。
【０２２９】
図４５および図４６の２つの通信装置４０１（４０１A，４０１B）は、上述したTV１、タブレット端末３０１、携帯端末３０２と同様の機能を有し、LEDインジケータ４１１（４１１A，４１１B）を備える装置である。
【０２３０】
２つの通信装置４０１Aと４０１Bを近づけることで通信装置４０１Aと４０１B間でキャッチ、スロー等の連携通信を開始するような場合には、図４５に示されるように、最初に、通信装置４０１AのLEDインジケータ４１１Aと、通信装置４０１BのLEDインジケータ４１１Bを光らせておくことで、どこを近づけたらよいかを、ユーザにわかりやすくすることができる。
【０２３１】
そして、ユーザが、光っている通信装置４０１AのLEDインジケータ４１１A付近と、通信装置４０１BのLEDインジケータ４１１B付近を近づけると、通信装置４０１Aと通信装置４０１Bが相互に相手を検出（認識）する。通信装置４０１Aと通信装置４０１Bは、相手を検出した場合に、相手と同じ点灯方法で点灯する。例えば、通信装置４０１AのLEDインジケータ４１１Aと通信装置４０１BのLEDインジケータ４１１Bは同時に明滅する。これにより、通信装置４０１Aと通信装置４０１Bが、相互に相手を認識したことを、ユーザに容易に認識させることができる。発光輝度を変化させる代わりに、光る色を変化させる、光る部分の形を変化させるなどしてもよい。
【０２３２】
また、データの通信中には、図４６に示されるように、データの移動に対応した光の遷移となるように、通信装置４０１AのLEDインジケータ４１１Aと、通信装置４０１BのLEDインジケータ４１１Bの点灯が制御される。すなわち、初めに、データの転送元である通信装置４０１AのLEDインジケータ４１１Aが高輝度に点灯し、LEDインジケータ４１１Aの消灯に応じて、転送先の通信装置４０１BのLEDインジケータ４１１Bが高輝度に点灯する制御が、所定のデータ単位で繰り返されるように実行することができる。これにより、通信装置４０１Aと４０１Bとの間で、データの授受が行われていることを、ユーザが直感的に認識することができる。あるいは、通信装置４０１AのLEDインジケータ４１１Aと、通信装置４０１BのLEDインジケータ４１１Bは、同一タイミングで点灯および消灯を繰り返すような点灯を行ってもよい。
【０２３３】
［１１．連携表現を実現するフローチャート］
図４７は、TV１による、上述したディスプレイ１４の画像表示とLEDインジケータ８４の点灯の連携表現を実現する処理のフローチャートである。
【０２３４】
この処理では、初めに、ステップＳ１において、TV１の制御部６６が、連携表現を行うトリガーとしての、ユーザの操作等が検出されたか否かを判定する。ユーザの操作等には、上述したリモートコントローラのボタン操作、ジェスチャなどのユーザの操作、他の通信装置のスマートユニット１２への近接、連携通信を要求するメッセージの受信など、各種の動作または装置状態が対応する。
【０２３５】
ユーザの操作等が検出されたと判定されるまで、ステップＳ１の処理が繰り返され、ステップＳ１で、ユーザの操作等が検出されたと判定された場合、処理がステップＳ２に進む。そして、ステップＳ２において、TV１の制御部６６は、上述したような、ディスプレイ１４の画像表示と、LEDインジケータ８４の点灯を連携させた連携表現を行う。
【０２３６】
上述した例では、TV１が行う連携表現を主に説明したが、本技術は、テレビビジョン受像機の他、スマートフォン等の携帯端末、タブレット端末など、LCD,EL(Electro Luminescence)ディスプレイ等の画像表示部と、所定の動作・状態を照明で表すLED等のインジケータ（点灯部）を有する表示装置全般に適用することができる。
【０２３７】
本技術の実施の形態は、上述した実施の形態に限定されるものではなく、本技術の要旨を逸脱しない範囲において種々の変更が可能である。
【０２３８】
なお、本技術は以下のような構成も取ることができる。
（１）
表示部の周辺の少なくとも一部に配置され、所定の輝度で点灯するインジケータを有するインジケータユニットと、
前記インジケータの点灯を制御するインジケータ制御部と
を備え、
前記インジケータ制御部は、前記インジケータの点灯方法を時間経過に応じて変化させるように制御する
表示装置。
（２）
前記インジケータ制御部は、前記表示装置に対して所定の設定操作が行われたとき、前記インジケータの発光輝度を第１の輝度に設定し、その後、前記第１の輝度と異なる第２の輝度に徐々に変化するように制御する
前記（１）に記載の表示装置。
（３）
前記インジケータ制御部は、前記インジケータの点灯色を、情報の種類に応じた色となるように制御する
前記（１）または（２）に記載の表示装置。
（４）
前記インジケータ制御部は、前記インジケータユニットに画像が吸い込まれる、または、前記インジケータユニットから画像が吐き出される前記表示部の画像に同期して、前記インジケータの点灯方法を時間経過に応じて変化させる
前記（１）乃至（３）のいずれかに記載の表示装置。
（５）
前記インジケータユニットは、点灯する位置が異なる第１のインジケータと第２のインジケータを少なくとも有し、
前記第１のインジケータに対応する第１の情報と、前記第２のインジケータに対応する第２の情報をユーザに認識させる画像を前記表示部に表示させる表示制御部をさらに備え、
前記インジケータ制御部は、前記第１のインジケータを点灯させることで前記第１の情報を表し、前記第２のインジケータを点灯させることで前記第２の情報を表す
前記（１）乃至（４）のいずれかに記載の表示装置。
（６）
前記インジケータの第１の明滅パターンに対応する第１の情報と、第２の明滅パターンに対応する第２の情報をユーザに認識させる画像を前記表示部に表示させる表示制御部をさらに備え、
前記インジケータ制御部は、前記インジケータを、前記第１の明滅パターンで点灯させることで前記第１の情報を表し、前記第２の明滅パターンで点灯させることで前記第２の情報を表す
前記（１）乃至（５）のいずれかに記載の表示装置。
（７）
前記インジケータの第１の点灯色に対応する第１の情報と、第２の点灯色に対応する第２の情報をユーザに認識させる画像を前記表示部に表示させる表示制御部をさらに備え、
前記インジケータ制御部は、前記インジケータを、前記第１の点灯色で点灯させることで前記第１の情報を表し、前記第２の点灯色で点灯させることで前記第２の情報を表す
前記（１）乃至（６）のいずれかに記載の表示装置。
（８）
表示部の周辺の少なくとも一部に配置され、所定の輝度で点灯するインジケータを有するインジケータユニットと、前記インジケータの点灯を制御するインジケータ制御部とを備える表示装置の、
前記インジケータ制御部が、前記インジケータの点灯方法を時間経過に応じて変化させるように制御する
表示制御方法。
（９）
表示部の周辺の少なくとも一部に配置され、所定の輝度で点灯するインジケータを有するインジケータユニットを備える表示装置を制御するコンピュータに、
前記インジケータの点灯方法を時間経過に応じて変化させるように制御する
処理を実行させるプログラム。
（１０）
表示部の周辺の少なくとも一部に配置され、所定の輝度で点灯するインジケータを有するインジケータユニットと、
前記インジケータの点灯を制御するインジケータ制御部と
を備え、
前記インジケータ制御部は、前記インジケータの発光輝度を第１の輝度に設定し、その後、前記第１の輝度と異なる第２の輝度に徐々に変化させる
表示装置。
（１１）
前記インジケータ制御部は、前記インジケータの点灯色を、現在動作中の機能に対応する色とする
前記（１０）に記載の表示装置。
（１２）
前記インジケータ制御部は、前記表示部において、前記インジケータの近傍領域を高輝度とした画像が表示される前または表示された後に、前記インジケータの発光輝度を、前記第１の輝度から前記第２の輝度に変化させる
前記（１０）または（１１）に記載の表示装置。
（１３）
表示部の周辺の少なくとも一部に配置され、所定の輝度で点灯するインジケータを有するインジケータユニットと、前記インジケータの点灯を制御するインジケータ制御部とを備える表示装置の、
前記インジケータ制御部が、前記インジケータの発光輝度を第１の輝度に設定し、その後、前記第１の輝度と異なる第２の輝度に徐々に変化させる
表示制御方法。
（１４）
表示部の周辺の少なくとも一部に配置され、所定の輝度で点灯するインジケータを有するインジケータユニットを備える表示装置を制御するコンピュータに、
前記インジケータの発光輝度を第１の輝度に設定し、その後、前記第１の輝度と異なる第２の輝度に徐々に変化させる
処理を実行させるプログラム。
【符号の説明】
【０２３９】
１  テレビジョン受像機，  １１  ディスプレイ本体，  １２  スマートユニット，  １４  ディスプレイ，  １５  額縁部，  ６６  制御部，  ８４  LEDインジケータ，  ８５  タッチセンサ，  ８７  Wi-Fi通信部，  ８８  NFC通信部，  ８９  BT通信部，  ９３  カメラ，  １０１  AV信号処理部，  １０２  通信制御部，  １０３  LED制御部，  １０４  カメラ制御部
【図１】
2013099631.tif 000003
【図２】
2013099631.tif 000004
【図３】
2013099631.tif 000005
【図４】
2013099631.tif 000006
【図５】
2013099631.tif 000007
【図６】
2013099631.tif 000008
【図７】
2013099631.tif 000009
【図８】
2013099631.tif 000010
【図９】
2013099631.tif 000011
【図１０】
2013099631.tif 000012
【図１１】
2013099631.tif 000013
【図１２】
2013099631.tif 000014
【図１３】
2013099631.tif 000015
【図１４】
2013099631.tif 000016
【図１５】
2013099631.tif 000017
【図１６】
2013099631.tif 000018
【図１７】
2013099631.tif 000019
【図１８】
2013099631.tif 000020
【図１９】
2013099631.tif 000021
【図２０】
2013099631.tif 000022
【図２１】
2013099631.tif 000023
【図２２】
2013099631.tif 000024
【図２３】
2013099631.tif 000025
【図２４】
2013099631.tif 000026
【図２５】
2013099631.tif 000027
【図２６】
2013099631.tif 000028
【図２７】
2013099631.tif 000029
【図２８】
2013099631.tif 000030
【図２９】
2013099631.tif 000031
【図３０】
2013099631.tif 000032
【図３１】
2013099631.tif 000033
【図３２】
2013099631.tif 000034
【図３３】
2013099631.tif 000035
【図３４】
2013099631.tif 000036
【図３５】
2013099631.tif 000037
【図３６】
2013099631.tif 000038
【図３７】
2013099631.tif 000039
【図３８】
2013099631.tif 000040
【図３９】
2013099631.tif 000041
【図４０】
2013099631.tif 000042
【図４１】
2013099631.tif 000043
【図４２】
2013099631.tif 000044
【図４３】
2013099631.tif 000045
【図４４】
2013099631.tif 000046
【図４５】
2013099631.tif 000047
【図４６】
2013099631.tif 000048
【図４７】
2013099631.tif 000049
【国際調査報告】
2013099631.tif 000050
2013099631.tif 000051